(57)【要約】  【課題】  針と針受けとの当り調整を容易に行わせ、針受けに支持された針と釜と共に回転する剣先との相対位置を適正に保ち、良好な品質での千鳥縫いを実施し得る千鳥縫いミシンを提供する。  【解決手段】  釜５の一面に固定された針受け板６の一部を打ち抜き成形し、針の針先を支える支持面70と、この支持面70に針先を導くリード面71とを有する針受け７を設けてある構成において、支持面70の一部を、針受け板６に連絡する脚部60の側にて、この脚部60を含めて切欠いてなる切欠き部72を設ける。【選択図】        図３
2006263111.tif 000002
【特許請求の範囲】
【請求項１】
針板の下部にて回転する釜の一面に固定された針受け板の一部を前記釜の一面に沿って成形し、前記針板上の縫製生地を貫通して降下する針の針先を支える支持面、及び該支持面に針先を導くリード面を有する針受けを設けてある千鳥縫いミシンにおいて、
前記針受けは、該針受けを前記針受け板に連絡する脚部の側にて前記支持面の一部を切欠いて形成された切欠き部を備えることを特徴とする千鳥縫いミシン。
【請求項２】
前記切欠き部は、前記脚部を含めて形成してある請求項１記載の千鳥縫いミシン。
【発明の詳細な説明】
【技術分野】
【０００１】
本発明は、縫製生地の表面にジグザグの縫目を形成する千鳥縫いミシンに関する。
【背景技術】
【０００２】
千鳥縫いミシンは、左右方向に適幅振られた位置に交互に上下動して針板上の縫製生地を貫通する針と、針板の下位置にて回転して下糸ボビンに巻回保持された下糸を繰り出す釜とを備えてなり、前記針の下動により繰り出されて縫製生地を貫通し、該縫製生地の下側に左右交互に形成される上糸のループを、前記釜に設けられた剣先により捕捉して下糸との絡みを生ぜしめる構成となっている。
【０００３】
このような千鳥縫いミシンにおいては、縫製作業中に加わる種々の外力の作用により針が撓み、該針の針先と前記剣先の軌道との間にずれが生じる虞れがあり、剣先による上糸の捕捉ミス、針と剣先との衝突等、正常な縫製を阻害する種々の不具合を生じる虞れがある。そこで従来から、前記釜に、これと一体回転する針受けを設け、該針受けにより降下する針の針先を支えて剣先の軌道に対して適正に位置決めし、該剣先による上糸の確実な捕捉を行わせると共に、前述した不具合の発生を防止するようにしてある（例えば、特許文献１参照）。
【０００４】
なお前記針受けは、釜の一面に一体に固定された針受け板の一部を中心側の一辺を残して矩形に打ち抜き、残された一辺を脚として釜に向けて屈曲成形して、釜の一面と略平行をなして立ち上がるように構成されている。
【特許文献１】実開平３−１３９７６号公報
【発明の開示】
【発明が解決しようとする課題】
【０００５】
さて、千鳥縫いミシンにおいては、前述の如く、針の降下が左右に適幅振れて生じることから、前記針受けは、左右夫々の降下位置にて針先を確実に支え得るように構成する必要がある。前記特許文献１においては、左右夫々の降下位置にて針先を支えるように針受けに設けられる支持面、及びこの支持面に針先を導くリード面を、釜の一面に対して適正な傾斜角度を有して形成することにより問題を解決している。
【０００６】
一方、針板の下部もミシンベッド内にて回転する釜と、針板上のミシンアームの先端に垂下支持された針との間には、これらの間に介在する多くの部品の寸法誤差の集積により相対的な位置誤差が生じるため、ミシンの組立て時には、以上の位置誤差を解消するための組み付け調整が個別に実施される。
【０００７】
ところが、このような組み付け調整を行った後にも、釜と針との間には所定の公差範囲内の位置誤差が残るため、特許文献１に開示されているような支持面及びリード面を有する針受けを採用したとしても、左右夫々の降下位置にて針先を正しく支えるためには、針と針受けの当り状態を適正化するための当り調整は必要であり、この場合、支持面及びリード面の高精度の角度設定が無意味なものとなっている。
【０００８】
また縫製現場においては、縫目形成を良好に行わせるために、縫製生地の種類に応じて針先形状が異なる針が用いられることがあり、この場合、針と針受けとの位置関係を再調整するために、針受けの支持面及びリード面の角度を修正する必要があり、この修正を簡易に行わせることが切望されている。
【０００９】
本発明は斯かる事情に鑑みてなされたものであり、針と針受けとの当り調整を容易に行わせることができ、左右夫々の降下位置において釜と共に回転する剣先に対する針の相対位置を適正に保ち、良好な品質での千鳥縫いを実施し得る千鳥縫いミシンを提供することを目的とする。
【課題を解決するための手段】
【００１０】
本発明の第１発明に係る千鳥縫いミシンは、針板の下部にて回転する釜の一面に固定された針受け板の一部を前記釜の一面に沿って成形し、前記針板上の縫製生地を貫通して降下する針の針先を支える支持面、及び該支持面に針先を導くリード面を有する針受けを設けてある千鳥縫いミシンにおいて、前記針受けは、該針受けを前記針受け板に連絡する脚部の側にて前記支持面の一部を切欠いて形成された切欠き部を備えることを特徴とする。      
【００１１】
本発明においては、針板下に降下する針の針先を支える針受けの支持面の一部を、針受け板に連絡する脚部の側にて切欠き、支持面の変形により針先との当り調整を容易に行わせる。
【００１２】
また本発明の第２発明に係る千鳥縫いミシンは、第１発明における切欠き部が、前記脚部を含めて形成してあることを特徴とする。
【００１３】
この発明においては、支持面の一部を切欠いてなる切欠き部を、支持面の該当部位を針受け板に支える脚部を含めて形成し、支持面による支持状態下にて下死点に達する針の針先端が脚部に衝突する虞れを回避する。
【発明の効果】
【００１４】
本発明の第１発明に係る千鳥縫いミシンにおいては、針の針先を支持する支持面の一部を脚部の側にて切欠いたから、該支持面をリード面に対して変形させ、釜に接離する方向に変位させて針の当り状態を容易に調整することができ、針の降下位置を釜の剣先の軌道に対して適正化し、良好な品質での千鳥縫いを実施することが可能となる。
【００１５】
また第２発明に係る千鳥縫いミシンにおいては、支持面の切欠き部を脚部の該当部位を含めて形成したから、支持面により支持下において下死点に達する針の針先端が脚部に衝突する虞れを回避し、この衝突による針の折損事故の発生を未然に防止することが可能となる等、本発明は優れた効果を奏する。
【発明を実施するための最良の形態】
【００１６】
以下本発明をその実施の形態を示す図面に基づいて詳述する。図１は本発明に係る千鳥縫いミシンの外観斜視図であり、ミシンベッド１の一側に立設された脚部10の上端に、ミシンベッド１の上面と略平行をなして延びるミシンアーム11を備えている。ミシンアーム11の先端部には、針棒20及び押え棒30が垂下支持されており、針棒20の下端には針２が取付けられ、押え棒30の下端には押え金３が取付けられている。また、ミシンアーム11の先端部に下方から対向するミシンベッド１の上面には針板４が架設されている。
【００１７】
図２は、針板４の近傍を拡大して示す斜視図である。針板４には、ミシンベッド１の幅方向（前後方向）に延びる長孔の形態をなす複数の送り歯孔40，40…が形成されており、ミシンベッド１の内部の図示しない送り機構に伝動構成された送り歯が突出し、後方に向けて移動する所定の送り動作を行うように構成されている。
【００１８】
このような針板４上には、押え棒30の下端に取り付けられた押え金３が当接している。該押え金３は、押え棒30の昇降操作に応じて上下動し、下動時に図示の如く針板４上に降下して、該針板４上に送り込まれる図示しない縫製生地を挾持する動作をなす。
【００１９】
針棒20の下端に取り付けられた針２は、ミシンアーム11内部の図示しない針棒駆動機構からの伝動による針棒20の動作に応じて、ミシンベッド１及びミシンアーム11の長手方向（左右方向）に所定幅振られた位置にて交互に上下動し、上糸を繰り出す公知の動作をなす。このような針２は、押え金３に形成された左右に長い針落ち孔31と、針板４に同様に形成された針落ち孔（図示せず）とを経てミシンベッド１の内部に降下する。
【００２０】
針板４の下側のミシンベッド１の内部には、図２に示す如く、下糸を繰り出すための釜５が配してある。該釜５は、針板４の下位置にて前後に延びる軸回りに回転し、下糸を繰り出す公知の構成を有しており、針２の下動により繰り出されて針板４上の縫製生地を貫通し、該縫製生地の下側に左右交互に形成される上糸のループを捕捉する剣先50を備えている。
【００２１】
以上の如く構成された千鳥縫いミシンによる縫製は、ミシンベッド１の前側から針板４上に供給される縫製生地を押え棒30の下動により降下する押え金３との間に挾持し、この縫製生地に送り歯孔40，40…から針板４上に突出する図示しない送り歯の動作によりミシンベッド１の後側に向かう送りを加え、この送りに同期した針棒20の動作により左右方向に適幅振られた位置に交互に上下動する針２と、針板４下側の前記針２の降下位置にて全回転する釜５との相乗作用により上糸と下糸とに絡みを生ぜしめて行われる。
【００２２】
本発明に係る千鳥縫いミシンの特徴は、以上の如き縫製に際して、針板４の下側に降下する針２の針先を支えるべく前記釜５に設けられる針受けの構成にある。図３は、釜５の分解斜視図である。本図に示す如く釜５は、回転軸への固着のための円筒形のボス部51を中心に備える円板状の部材である。前記剣先50は、周方向の一側に向かう尖端を有し、外周に沿って湾曲するように延設されており、前記回転軸からの伝動により釜５は、図中に矢符にて示す如く、剣先50の尖端が向く方向に、図示しない上糸ループ捕捉すべく回転するようになしてある。
【００２３】
このような釜５の一面には、剣先50の形成部位を略中央として覆う略半円形をなす針受け板６が、固定ねじ6aの締め付けにより一体に固定されている。この針受け板６には、剣先50の尖端の回転方向下流側を、中心側の一辺を残して所定幅の矩形に打ち抜き、残された一辺を曲げ辺として釜５との対向側に向けて曲げ、適幅の脚部60を残して前記釜５の一面と略平行をなして立ち上がるように屈曲させて針受け７が形成されている。
【００２４】
この針受け７は、釜５の剣先50の尖端と周方向に整合する位置を含めて設けられ、回転方向上流側に位置する支持面70と、該支持面70の回転方向下流側に連続するリード面71とを備えている。支持面70は、回転方向の下流側が釜５の前記一面に近付く向きの傾斜を有し、リード面71は逆に、回転方向上流側が釜５の前記一面に近付く傾斜を有している。
【００２５】
以上の如き針受け７は、更に、針受け板６への連絡のための脚部60の側において前記支持面70の略半部を前記脚部60を含めて切欠いて形成された切欠き部72を備えている。このような切欠き部72を設けたことにより支持面70は、リード面71の上流側に該リード面71のみを支えとして連続することとなり、図中に細線にて示すリード面71との境界を折り線として比較的小さな力により曲げ変形させることができ、釜５の一面に対して接離する方向に変位させることができる。
【００２６】
図４は、以上の如き針受け７を備える釜５の動作説明図である。針板４の下位置に配された釜５は、図中に一点鎖線により示す左右の針落ち位置Ａ，Ｂの間を回転中心として矢符に示す向きに回転する。この回転により、釜５と一体化された針受け板６に設けられた針受け７は、リード面71を先として回転せしめられることとなり、左右の針落ち位置Ａ，Ｂに降下する針２の針先は、釜５と針受け板６との間に受入れられ、まずリード面71に当接し、該リード面71の案内作用によって支持面70に導かれて該支持面70に当接支持された状態となり、この状態下にて図中に破線により示す位置にある剣先50の軌道に対して位置決めされる。
【００２７】
本発明に係る千鳥縫いミシンにおいては、以上の如く針２を位置決めする支持面70に切欠き部72が設けられており、この切欠き部72の作用により支持面70を釜５の一面に接離する方向に比較的容易に変位させることができ、この変位により針２との当り状態を変え、釜５に設けられた前記剣先50の軌道に対する前記針２の相対位置を適正に調整することが可能となり、これにより、針２により繰り出される上糸と釜５により繰り出される下糸との絡みを確実に行わせ、目飛びの発生を押えて良質な千鳥縫いの縫目を形成することができる。
【００２８】
また以上の当り調整は、組立て段階において容易に実施されることから、支持面70及びリード面71を備える針受け７に高い形状精度を要求されることがない。前述の如く針受け７は、針受け板６の所定部位を矩形に打ち抜き、打ち抜かれた部分を屈曲成形して構成されるが、このような針受け７は、支持面70及びリード面71に対する要求精度を低目に設定することができ、製造コストの低減を図ることが可能となる。
【００２９】
なお、前記切欠き部72は支持面70の一部にのみ設けられており、リード面71の剛性は保たれているから、支持面70に当接支持された針２の位置決めは高精度になされ、剣先50の軌道に対する位置関係は正確に維持される。
【００３０】
更に前記切欠き部72は、針受け７を針受け板６に連絡する脚部60の該当部位を含めて形成されていることから、図４中の針落ち位置Ａ，Ｂに降下する針２の針先端が、支持面70との当接下にて生じる下死点において脚部60に衝突する虞れを回避することができ、例えば、針棒20の下端における針２の取り付け長さの調節ミスにより、脚部60と衝突して針２が折損する事故の発生を未然に防止することが可能となる。
【図面の簡単な説明】
【００３１】
【図１】本発明に係る千鳥縫いミシンの外観斜視図である。
【図２】針板の近傍を拡大して示す斜視図である。
【図３】釜の分解斜視図である。
【図４】釜の動作説明図である。
【符号の説明】
【００３２】
２    針
４    針板
５    釜
６    針受け板
７    針受け
60    脚部
70    支持面
71    リード面
72    切欠き部
【図１】
2006263111.tif 000003
【図２】
2006263111.tif 000004
【図３】
2006263111.tif 000005
【図４】
2006263111.tif 000006